(57)【要約】【課題】機器状態を示すために点灯または点滅するランプを有する機器を改造することなく、機器から離れた位置で機器（ランプ）の状態を確認することが可能な機器状態監視装置を提供する。【解決手段】この機器状態監視装置１０１は、点灯により医療機器Ｅの状態を示すランプＬの近傍に配置され、ランプＬの点灯を検知する光センサ部４と、光センサ部４を医療機器Ｅに取り付ける取付部２と、光センサ部４の検知信号Ｓを機器状態監視端末１０２に送信する無線送信部６とを備える。【選択図】図１
2019219902.tif 000002
【特許請求の範囲】
【請求項１】
点灯または点滅により機器の状態を示すランプの近傍に配置され、前記ランプの点灯または点滅を検知する光センサ部と、
前記光センサ部を前記機器に取り付ける取付部と、
前記光センサ部の検知信号を機器状態監視端末に送信する送信部とを備える、機器状態監視装置。
【請求項２】
前記取付部は、着脱可能に前記光センサ部を前記機器に取り付けるように構成されている、請求項１に記載の機器状態監視装置。
【請求項３】
前記光センサ部を保持するとともに、前記光センサ部の前記ランプに対する位置を調整可能な位置調整部をさらに備える、請求項１または２に記載の機器状態監視装置。
【請求項４】
前記光センサ部は、受光部と、先端が前記ランプの近傍に配置され、前記ランプからの光を前記受光部に導く光ファイバ部とを含んでいる、請求項１〜３のいずれか１項に記載の機器状態監視装置。
【請求項５】
点灯または点滅により機器の状態を示すランプの近傍に配置され、前記ランプの点灯または点滅を検知する光センサ部と、前記光センサ部を前記機器に取り付ける取付部と、前記光センサ部の検知信号を送信する送信部とを含む機器状態監視装置と、
前記送信部からの前記検知信号を受信する受信部と、前記検知信号に基づいて、前記ランプの点灯または点滅の状態が変化したことを監視者に通知する通知部とを含む機器状態監視端末とを備える、機器状態監視システム。
【発明の詳細な説明】
【技術分野】
【０００１】
この発明は、点灯または点滅するランプを有する機器を監視する機器状態監視装置および機器状態監視システムに関する。
【背景技術】
【０００２】
従来、点灯または点滅するランプを有する機器が知られている（たとえば、特許文献１参照）。
【０００３】
上記特許文献１には、運転状態に異常が生じた際などに所定の警報を発するために点滅する発光ダイオードよりなる点灯表示部を有する携帯型輸液ポンプが開示されている。
【先行技術文献】
【特許文献】
【０００４】
【特許文献１】特開２０１３−５９３６号公報
【発明の概要】
【発明が解決しようとする課題】
【０００５】
しかしながら、上記特許文献１の携帯型輸液ポンプでは、携帯型輸液ポンプから離れた位置（たとえば、別室）では点灯表示部を目視により確認することができないという不都合がある。なお、従来より、機器に通信部を設けることよって、機器を目視により確認できない位置（集中監視室）で情報端末により機器の状態を確認するシステムが存在する。一方、上記特許文献１の携帯型輸液ポンプのような既存の機器を用いて、機器から離れた位置で機器の状態を確認するためには、機器を改造して通信部を設けることが必要になるが、改造には手間と時間とが掛かるため、機器の改造は現実的には困難であるという問題点がある。特に、通信部を備えていない既存の機器を多く抱える病院や工場などにおいて、全ての機器を、通信部を備えるように改造することは現実的ではない。
【０００６】
この発明は、上記のような課題を解決するためになされたものであり、この発明の１つの目的は、機器状態を示すために点灯または点滅するランプを有する機器を改造することなく、機器から離れた位置で機器（ランプ）の状態を確認することが可能な機器状態監視装置および機器状態監視システムを提供することである。
【課題を解決するための手段】
【０００７】
上記目的を達成するために、この発明の第１の局面による機器状態監視装置は、点灯または点滅により機器の状態を示すランプの近傍に配置され、ランプの点灯または点滅を検知する光センサ部と、光センサ部を機器に取り付ける取付部と、光センサ部の検知信号を機器状態監視端末に送信する送信部とを備える。
【０００８】
この発明の第１の局面による機器状態監視装置では、上記のように構成することによって、取付部により装置を機器に取り付けることにより、ランプを有する既存の機器に、ランプの点灯または点滅を検知する光センサ部、および、光センサ部の検知信号を送信する送信部の機能を、後付（後から付け足すこと）により付与することができる。すなわち、ランプを有する既存の機器に送信部を持たせる改造を施した場合と同様の機能を有する構成を、機器の改造を行うことなく機器状態監視装置により得ることができる。その結果、機器状態を示すために点灯または点滅するランプを有する機器を改造することなく、機器から離れた位置で機器（ランプ）の状態を確認することができる。
【０００９】
上記第１の局面による機器状態監視装置において、好ましくは、取付部は、着脱可能に光センサ部を機器に取り付けるように構成されている。このように構成すれば、取付部により、機器状態監視装置を機器に容易に後付により取り付けることができる。また、機器状態監視装置を機器から容易に取り外すことができる。機器状態監視装置の機器の取り付け位置を容易に変更することができる。
【００１０】
上記第１の局面による機器状態監視装置において、好ましくは、光センサ部を保持するとともに、光センサ部のランプに対する位置を調整可能な位置調整部をさらに備える。このように構成すれば、位置調整部により、機器のランプ位置に合わせて、ランプからの光を受光しやすい位置に光センサ部の位置を調整（移動）して配置することができる。
【００１１】
上記第１の局面による機器状態監視装置において、好ましくは、光センサ部は、受光部と、先端がランプの近傍に配置され、ランプからの光を受光部に導く光ファイバ部とを含んでいる。このように構成すれば、光ファイバ部によりランプからの光を光センサ部に効果的に導くことができるので、光センサ部によりランプの光を検知する際に、光センサ部の周囲の光の影響（外乱）を抑制することができる。
【００１２】
この第２の局面による機器状態監視システムは、灯または点滅により機器の状態を示すランプの近傍に配置され、ランプの点灯または点滅を検知する光センサ部と、光センサ部を機器に取り付ける取付部と、光センサ部の検知信号を送信する送信部とを含むランプ監視装置と、送信部からの検知信号を受信する受信部と、検知信号に基づいて、ランプの点灯または点滅の状態が変化したことを監視者に通知する通知部とを含む機器状態監視端末とを備える。
【００１３】
この発明の第２の局面による機器状態監視システムでは、上記のように構成することによって、取付部により装置を機器に取り付けることにより、ランプを有する既存の機器に、ランプの点灯または点滅を検知する光センサ部、および、光センサ部の検知信号を送信する送信部の機能を、後付（後から付け足すこと）により付与することができる。すなわち、ランプを有する既存の機器に送信部を持たせる改造を施した場合と同様の機能を有する構成を、機器の改造を行うことなく、機器状態監視装置により得ることができる。その結果、機器状態を示すために点灯または点滅するランプを有する機器を改造することなく、機器から離れた位置で機器（ランプ）の状態を確認することが可能な機器状態監視システムを提供することができる。
【００１４】
なお、本出願では、上記第１の局面による機器状態監視装置において、以下の構成も考えられる。
【００１５】
（付記項１）
すなわち、上記光センサ部を備える機器状態監視装置において、好ましくは、取付部は、接着により光センサ部を機器に取付可能な両面テープ、または、吸着により光センサ部を機器に取付可能な磁石を含んでいる。
（付記項２）
上記光センサ部を備える機器状態監視装置において、好ましくは、光センサ部は、ランプの点灯または点滅を、ランプの視認性を妨げない状態でランプの側方側から検知するように構成されている。
（付記項３）
上記位置調整部を備える機器状態監視装置において、好ましくは、位置調整部は、取付部の取付面に沿って延びるとともに、光センサ部のランプに対する位置を取付面に沿ってスライド移動させることにより調整可能なスライドガイド部を含む。
（付記項４）
上記位置調整部を備える機器状態監視装置において、好ましくは、位置調整部は、屈曲部を含む金属材料により形成され、屈曲部の屈曲角度を変更することにより、ランプに対する光センサ部の角度を調整可能に構成されている。
（付記項５）
上記光センサ部を備える機器状態監視装置において、好ましくは、機器の状態を示すランプの点灯または点滅の少なくとも一方の状態を示すランプ情報を記憶する記憶部と、記憶部に記憶したランプ情報が示すランプの状態から異なる状態に変化した場合に、記憶部に変化後のランプ情報を記憶するとともに、変化後のランプ情報を検知信号として、送信部から機器状態監視端末に送信する制御を行う制御部をさらに備える。
（付記項６）
この場合、好ましくは、光センサ部および送信部に電力を供給可能な蓄電池を収容する蓄電池収容部をさらに備える。
（付記項７）
上記光センサ部を備える機器状態監視装置において、好ましくは、ランプは、点灯または点滅により、機器が運転状態にあることを示す第１ランプと、点灯または点滅により、機器が異常状態にあることを示す第１ランプとは別個の第２ランプとを含み、光センサ部は、第１ランプの点灯または点滅を検知する第１光センサ部と、第２ランプの点灯または点滅を検知する第２光センサ部とを含む。
（付記項８）
上記光センサ部を備える機器状態監視装置において、好ましくは、ランプは、光色の変化により、機器の状態が変化したことを示すように構成され、光センサ部は、ランプの光色の変化を区別して検知するように構成されている。
【発明の効果】
【００１６】
本発明によれば、上記のように、機器状態を示すために点灯または点滅するランプを有する機器を改造することなく、機器から離れた位置で機器（ランプ）の状態を確認することが可能な機器状態監視装置および機器状態監視システムを提供することができる。
【図面の簡単な説明】
【００１７】
【図１】本発明の第１実施形態による機器状態監視システムの全体構成を示した模式図である。
【図２】本発明の第１実施形態による機器状態監視システムのブロック構成および機器状態監視装置の構造を示した図である。
【図３】本発明の第１実施形態による機器状態監視システムの機器状態監視端末の表示部の表示画面について説明するための図である。
【図４】本発明の第１実施形態による機器状態監視システムの機器状態監視装置、ゲートウェイ装置および機器状態監視端末の各々による制御処理フローである。
【図５】本発明の第２実施形態による機器状態監視システムのブロック構成および機器状態監視装置の構造を示した図である。
【発明を実施するための形態】
【００１８】
以下、本発明の実施形態を図面に基づいて説明する。
【００１９】
［第１実施形態］
図１〜図４を参照して、本発明の第１実施形態による機器状態監視装置１０１を含む機器状態監視システム１００について説明する。
【００２０】
（機器状態監視システムの構成）
図１に示すように、機器状態監視システム１００は、医療機器Ｅに設けられており、医療機器Ｅの状態を医療機器Ｅから離れた位置で把握（監視）するためのシステムである。医療機器Ｅから離れた位置とは、たとえば、医療機器Ｅを目視または医療機器Ｅの発報音などにより直接確認することができない遠隔位置である。医療機器Ｅとは、たとえば、患者の治療に用いられる点滴装置などである。このような医療機器Ｅは、運転状態に異常が生じた場合、その異常状態が早急に解消される必要がある。
【００２１】
機器状態監視システム１００は、医療機器Ｅの以下で説明するランプＬの状態を後述する光センサ部４により直接監視することによって、医療機器Ｅの状態を医療機器Ｅから離れた位置で把握（監視）するためのシステムである。
【００２２】
医療機器Ｅは、点灯により機器の状態を示すランプＬを備えている。ランプＬは、点灯により医療機器Ｅが運転状態にあること（運転中であること）を示す第１ランプＬ１と、点灯により医療機器Ｅが異常状態にあることを示す第１ランプＬ１とは別個の第２ランプＬ２とを含んでいる。なお、異常状態とは、たとえば、医療機器Ｅが点滴装置である場合、薬剤を送る管が折れ曲がり薬剤の投与が適切に行われていない状態などである。第１ランプＬ１と第２ランプＬ２とは、並んで配置されている。ランプＬは、たとえば、ＬＥＤのランプである。
【００２３】
機器状態監視システム１００は、医療機器Ｅに直接取り付けられている機器状態監視装置１０１と、機器状態監視端末１０２とを備えている。機器状態監視装置１０１には、ゲートウェイ装置１０３が設けられている。一例ではあるが、医療機器Ｅおよび機器状態監視装置１０１は、病院に設けられており、機器状態監視端末１０２は、病院とは異なる場所にある外部の管理会社に設けられている。
【００２４】
ゲートウェイ装置１０３は、機器状態監視装置１０１をインターネットに接続するためのネットワークノードである。すなわち、ゲートウェイ装置１０３は、機器状態監視装置１０１からの信号を、インターネットを介して機器状態監視端末１０２に送信するための装置である。ゲートウェイ装置１０３は、無線受信部１０３ａと、ネットワーク送信部１０３ｂとを備えている。
【００２５】
（機器状態監視装置の構成）
機器状態監視装置１０１は、上記の通り、医療機器Ｅに直接取り付けられている。機器状態監視装置１０１は、ランプＬの近傍に配置されている。
【００２６】
図２に示すように、機器状態監視装置１０１は、第１筐体１１と、第１筐体１１とは別個の第２筐体１２と、取付部２と、位置調整部３と、第１光センサ部４１および第２光センサ部４２を含む光センサ部４と、蓄電池収容部５と、無線送信部６と、記憶部７と、制御部８とを備えている。なお、無線送信部６は、特許請求の範囲の「送信部」の一例である。
【００２７】
取付部２と、位置調整部３と、光センサ部４とは、第１筐体１１側に設けられた構成であり、蓄電池収容部５と、無線送信部６と、記憶部７と、制御部８とは、第２筐体１２側に設けられた構成である。
【００２８】
第１光センサ部４１と制御部８とは、ケーブルｃ１により電気的に接続されている。第２光センサ部４２と制御部８とは、ケーブルｃ２により電気的に接続されている。ケーブルｃ１およびケーブルｃ２は、第１筐体１１と第２筐体１２との間において、カバーｃ０により１つに束ねられている。
【００２９】
〈第１筐体の構成〉
図２に示すように、第１筐体１１は、概して、細長い中空の直方体形状を有している。第１筐体１１は、短手方向（後述するＢ方向）の一方側が、光センサ部４を露出させるために開放されている。第１筐体１１は、長手方向が、第１ランプＬ１と第２ランプＬ２との並び方向と一致する状態で、ランプＬ（第１ランプＬ１と第２ランプＬ２）の近傍に配置されている。
【００３０】
以下では、第１筐体１１の長手方向をＡ方向とし、第１筐体１１の短手方向をＢ方向とする。Ａ方向およびＢ方向は、共に、取付部２の取付面２ａ（ランプＬが設けられた医療機器Ｅの前面Ｅ１）に平行な方向である。また、Ａ方向およびＢ方向に直交する方向（厚み方向）をＣ方向とする。Ｃ方向のうち、医療機器Ｅから離れていく方向をＣ１方向とし、その逆方向をＣ２方向とする。
【００３１】
Ａ方向において、第１筐体１１は、第１ランプＬ１および第２ランプＬ２の両方とオーバーラップする範囲に配置されている。したがって、第１筐体１１のＡ方向の長さは、第１ランプＬ１と第２ランプＬ２との間の距離よりも少なくとも大きい。第１筐体１１は、第２筐体１２と比較して、小さい。第１筐体１１は、ランプＬのＢ方向の一方側に配置されている。第１筐体１１のＣ２方向側の内表面１１ａには、光センサ部４を保持する位置調整部３が設けられている。
【００３２】
〈第２筐体の構成〉
図２に示すように、第２筐体１２は、蓄電池収容部５と、無線送信部６と、記憶部７と、制御部８とを内蔵している。
【００３３】
図１に示すように、第２筐体１２は、第１筐体１１から離間した位置で、かつ、ランプＬの光や医療機器Ｅに設けられた表示部（図示せず）の表示や、操作部（図示せず）の操作などの妨げにならない所定の位置に配置されている。たとえば、第２筐体１２は、医療機器ＥのランプＬが設けられた前面Ｅ１とは異なる面Ｅ２に配置されている。第２筐体１２は、両面テープなどの取付部（図示せず）を介して、着脱可能に医療機器Ｅに取り付けられている。
【００３４】
〈取付部の構成〉
図２に示すように、取付部２は、着脱可能に光センサ部４（第１筐体１１に設けられる構成）を医療機器Ｅに取り付けるように構成されている。取付部２は、第１筐体１１のＣ２方向側の外表面１１ｂに設けられている。取付部２は、第１筐体１１のＣ２方向側の外表面１１ｂの略全域に設けられている。取付部２は、接着により光センサ部４を医療機器Ｅに取付可能な両面テープにより構成されている。したがって、第１筐体１１（光センサ部４）は、取付部２により、医療機器Ｅへの取り付け、取り外しを容易に行うことが可能である。
【００３５】
〈位置調整部の構成〉
図２に示すように、位置調整部３は、光センサ部４を保持するように構成されている。位置調整部３は、光センサ部４のランプＬに対する位置を調整可能に構成されている。
【００３６】
詳細には、位置調整部３は、Ａ方向に細長状に延びるＬ字形状（Ａ方向から見てＬ字形状）の部材である。Ｌ字形状の位置調整部３は、第１平板部３１と、第２平板部３２とから一体的に形成されている。
【００３７】
第１平板部３１は、第１筐体１１の内表面１１ａに沿ってＡ方向に細長く延びる平板形状を有している。第１平板部３１は、第１筐体１１の内表面１１ａに固定的に取り付けられている。第２平板部３２は、第１平板部３１のＢ方向の一端（第１筐体１１の開放側の一端）に接続され、Ａ方向に細長く延びる平板形状を有している。第２平板部３２は、光センサ部４を保持している。
【００３８】
位置調整部３は、金属材料により形成されている。位置調整部３の第１平板部３１と第２平板部３２との接続箇所には、Ａ方向に延びる屈曲部３３が設けられている。位置調整部３は、屈曲部３３の屈曲角度αを変更することにより、ランプＬに対する光センサ部４の角度を調整可能に構成されている。すなわち、位置調整部３は、屈曲部３３を中心として、第１平板部３１に対して第２平板部３２（光センサ部４）を回動させることにより、ランプＬに対する光センサ部４の角度を調整可能に構成されている。
【００３９】
位置調整部３の第２平板部３２は、スライドガイド部３２ａを含んでいる。スライドガイド部３２ａは、取付部２の取付面２ａに沿ってＡ方向に延びている。スライドガイド部３２ａは、光センサ部４のランプＬに対する位置を取付面２ａに沿ってスライド移動させることにより調整可能に構成されている。
【００４０】
具体的には、スライドガイド部３２ａは、第２平板部３２に設けられ、Ａ方向に細長く延びるとともに、第２平板部３２を厚み方向に貫通する貫通穴である。スライドガイド部３２ａ（貫通穴）は、Ａ方向に細長く延びる長円形状を有している。スライドガイド部３２ａは、光センサ部４を挟み込んだ状態（光センサ部４の後述するくびれ部４１０ａを挟持した状態）で、光センサ部４を内側に配置して保持している。すなわち、スライドガイド部３２ａは、光センサ部４のガイドレールとして機能する。スライドガイド部３２ａにより、光センサ部４は、Ａ方向の位置が調整され、Ｂ方向においてランプＬに対向するランプＬの側方側の位置に配置される。
【００４１】
〈光センサ部の構成〉
図２に示すように、光センサ部４は、ランプＬの点灯（ランプＬから出射された光）を検知するように構成されている。すなわち、光センサ部４は、ランプＬの点灯状態と消灯状態とを区別するために用いられるセンサである。なお、光センサ部４は、受光した光を電気信号に変換して検知するセンサである。たとえば、光センサ部４は、フォトトランジスタを有している。
【００４２】
光センサ部４は、上記の通り、第１光センサ部４１および第２光センサ部４２を含んでいる。第１光センサ部４１および第２光センサ部４２は、それぞれ、第１ランプＬ１および第２ランプＬ２の点灯を検知するように構成されている。
【００４３】
第１光センサ部４１は、第１ランプＬ１の近傍に配置されている。詳細には、第１光センサ部４１は、Ａ方向において、第１ランプＬ１と略同じ位置に配置されている。また、第１光センサ部４１は、Ｂ方向において、第１ランプＬ１と対向する近傍位置に配置されている。第１光センサ部４１は、第１ランプＬ１の視認性を妨げない状態で、第１ランプＬ１の点灯を、第１ランプＬ１の側方側（Ｂ方向の一方側）から検知するように構成されている。すなわち、第１光センサ部４１は、第１ランプＬ１を覆い隠すことがないように、第１ランプＬ１のＣ１方向側に配置されるのではなく、第１ランプＬ１の側方側（Ｂ方向の一方側）に配置されている。
【００４４】
ここで、第１光センサ部４１と第２光センサ部４２とは、同一の構成であるため、以下では、第１光センサ部４１についてのみ説明し、第２光センサ部４２についての説明は省略する。
【００４５】
第１光センサ部４１は、受光部４１ａと、光ファイバ部４１ｂとを含んでいる。
【００４６】
受光部４１ａは、スライドガイド部３２ａ（貫通穴）に挟持されるくびれ部４１０ａを有している。受光部４１ａ（第１光センサ部４１）は、くびれ部４１０ａがスライドガイド部３２ａ（貫通穴）に挟持されることにより、位置調整部３の第２平板部３２に取り付けられている。受光部４１ａ（第１光センサ部４１）は、スライドガイド部３２ａに沿ってＡ方向にスライド移動することにより、Ａ方向の位置を調整可能に構成されている。受光部４１ａ（第１光センサ部４１）は、医療機器Ｅに機器状態監視装置１０１を取り付ける際に、スライドガイド部３２ａに沿って位置調整が行われる。
【００４７】
光ファイバ部４１ｂは、先端４１０ｂ（受光部４１ａ側の端部とは逆側の端部）が第１ランプＬ１の近傍に配置されている。なお、第１ランプＬ１の近傍に配置されている状態には、光ファイバ部４１ｂの先端４１０ｂが第１ランプＬ１に接触している状態も含んでいる。
【００４８】
光ファイバ部４１ｂは、第１ランプＬ１からの光を受光部４１ａ（受光素子）に導くように構成されている。光ファイバ部４１ｂの先端４１０ｂ（光ファイバ部４１ｂと第１ランプＬ１とが接触している場合には接触面）、および、受光部４１ａ側の端部を除く外表面には、金属メッキが施されている。これにより、光ファイバ部４１ｂは、第１ランプＬ１から採光した光を漏らすことなく受光部４１ａに導くことが可能となる。また、金属メッキにより、受光部４１ａが外光（第１ランプＬ１からの光を除く環境光）の影響を受けることを抑制することが可能となる。すなわち、金属メッキにより、第１光センサ部４１の検知精度を向上させることが可能となる。
【００４９】
〈蓄電池収容部の構成〉
図２に示すように、蓄電池収容部５は、蓄電池５１を収容している。蓄電池５１は、蓄電池収容部５に収容された状態で、光センサ部４、無線送信部６および制御部８を含む機器状態監視装置１０１の各部に電力を供給している。したがって、機器状態監視装置１０１は、蓄電池５１により駆動することが可能であるため、商用電源からの電力供給を受ける場合と比較して、給電ケーブルなどが不要となり、装置構成を簡素化することが可能となる。また、機器状態監視装置１０１は、容易に種々の機器に設置することが可能となる。
【００５０】
〈無線送信部の構成〉
図２に示すように、無線送信部６は、光センサ部４の検知信号Ｓを、ゲートウェイ装置１０３を介して機器状態監視端末１０２に送信するように構成されている。たとえば、無線送信部６は、Ｗｉ−Ｆｉ（Ｗｉｒｅｌｅｓｓ  Ｆｉｄｅｌｉｔｙ；登録商標）などにより検知信号Ｓを送信するように構成されている。なお、無線送信部６は、ランプＬの点灯の状態が変化した際に、光センサ部４の検知信号Ｓ（後述するランプ情報ｄを含む信号）を、ゲートウェイ装置１０３を介して機器状態監視端末１０２に送信するように構成されている。
【００５１】
〈記憶部の構成〉
図２に示すように、記憶部７は、医療機器Ｅの状態を示すランプＬの点灯の状態（光の状態）を示すランプ情報ｄを記憶するように構成されている。なお、ランプ情報ｄは、ランプＬの点灯の状態が変化した場合、制御部８による制御の下、新たなランプ情報ｄを上書きする形で記憶するように構成されている。
【００５２】
〈制御部の構成〉
図２に示すように、制御部８は、タイマー８１を含んでおり、タイマー８１により所定時間間隔毎に光センサ部４から検知信号Ｓを取得する制御を行うように構成されている。所定時間間隔毎とは、たとえば、５秒間隔毎や、１０秒間隔毎などである。
【００５３】
制御部８は、上記の通り、記憶部７に記憶したランプ情報ｄが示すランプＬの状態から異なる状態に変化した場合に、記憶部７に変化後のランプ情報ｄを記憶する制御を行うように構成されている。すなわち、制御部８は、記憶部７に記憶したランプ情報ｄが示すランプＬの状態とは異なる状態にあることを示す検知信号Ｓを光センサ部４から受信した場合には、記憶部７に変化後のランプ情報ｄを記憶する制御を行うように構成されている。
【００５４】
制御部８は、記憶部７に記憶したランプ情報ｄが示すランプＬの状態から異なる状態に変化した場合に、無線送信部６により、光センサ部４の検知信号Ｓ（ランプ情報ｄを含む信号）を、ゲートウェイ装置１０３を介して機器状態監視端末１０２に送信する制御を行うように構成されている。
【００５５】
（機器状態監視端末の構成）
図１に示すように、機器状態監視端末１０２は、ノートパソコンにより構成されている。なお、機器状態監視端末１０２は、デスクトップパソコンや、タブレット端末などのその他機器により構成されていてもよい。
【００５６】
図２に示すように、機器状態監視端末１０２は、記憶部（図示せず）と受信部１０２ａと、制御部１０２ｂと、表示部１０２ｃとを備えている。なお、表示部１０２ｃは、特許請求の範囲の「通知部」の一例である。
【００５７】
記憶部には、ランプＬの状態を監視するための所定のプログラムが記憶されている。
【００５８】
受信部１０２ａは、インターネットに接続されており、ゲートウェイ装置１０３を介して機器状態監視装置１０１（無線送信部６）からの検知信号Ｓを受信するように構成されている。
【００５９】
制御部１０２ｂは、機器状態監視端末１０２の各部を制御するように構成されている。制御部１０２ｂは、受信部１０２ａにより取得した検知信号Ｓに基づいて、医療機器Ｅに対して人による所定の対応が必要なランプＬの状態の変化があった否かを判断する制御を行うように構成されている。なお、所定の対応が必要なランプＬの状態の変化は、予めユーザにより登録されている。たとえば、医療機器Ｅが異常状態にあることを示す第２ランプＬ２の消灯状態から点灯状態への変化が、所定の対応が必要なランプＬの状態の変化として、予め登録されている。
【００６０】
制御部１０２ｂは、受信部１０２ａにより取得した検知信号Ｓに基づいて、医療機器Ｅに対して人による所定の対応が必要なランプＬの状態の変化があった場合、および、ランプＬの状態の変化がなかった場合のそれぞれにおいて、表示部１０２ｃに所定の内容を表示するように構成されている。
【００６１】
表示部１０２ｃは、検知信号Ｓに基づいて、ランプＬの点灯の状態が変化したことを表示することにより、監視者に通知するように構成されている。
【００６２】
具体的には、図３に示すように、表示部１０２ｃは、上記の所定のプログラムに基づいて、ランプＬ（図２参照）の監視状態を表示するように構成されている。表示部１０２ｃには、第１ランプＬ１（図２参照）および第２ランプＬ２（図２参照）の各々の現在の状態（点灯状態または消灯状態）が表示される。また、表示部１０２ｃには、第１ランプＬ１および第２ランプＬ２の各々の状態の変化のログの一覧が時系列に沿って時刻と伴に表示される。また、表示部１０２ｃには、検知信号Ｓの生データ（機械言語そのもの）が表示される。
【００６３】
なお、表示部１０２ｃは、医療機器Ｅ（図２参照）に対して人による所定の対応が必要なランプＬの状態である場合には、文字を赤色にしたり、文字の背景色を赤色にするなど、人目に付きやすい態様により表示する。
【００６４】
（検知信号を機器状態監視端末に送信するための制御部による制御処理）
次に、図４を参照して、検知信号Ｓを機器状態監視端末１０２（ゲートウェイ装置１０３）に送信するための制御部８による制御処理フローについて説明する。
【００６５】
まず、ステップＳ１において、制御部８により、機器状態監視装置１０１の電源がＯＮされた際に、光センサ部４から初期状態（現在の状態）における検知信号Ｓが取得されてランプ情報ｄが記憶部７に記憶される。そして、ステップＳ２に進む。
【００６６】
次に、ステップＳ２において、制御部８により、タイマー８１のカウントが開始され、所定時間のカウント（待ち合わせ）が行われる。そして、所定時間のカウントが終了した場合、ステップＳ３に進む。
【００６７】
次に、ステップＳ３において、制御部８により、光センサ部４から新たに検知信号Ｓが取得される。たとえば、医療機器Ｅが運転状態にあること（運転中であること）を示す第１ランプＬ１が点灯状態で、医療機器Ｅが異常状態にあることを示す第２ランプＬ２が点灯状態であることを示す信号が取得される。そして、ステップＳ４に進む。
【００６８】
次に、ステップＳ４において、制御部８により、記憶部７に記憶されているランプ情報ｄが示すランプＬの状態と、光センサ部４から新たに取得した検知信号Ｓが示すランプＬの状態とが異なるか否かが判断される。すなわち、制御部８により、点灯状態から消灯状態に変化、または、消灯状態から点灯状態に変化したランプＬがあるか否かが判断される。そして、記憶部７に記憶されているランプ情報ｄが示すランプＬの状態と、光センサ部４から取得した検知信号Ｓが示すランプＬの状態とが異なる場合（第１ランプＬ１および第２ランプＬ２の少なくとも一方の状態が異なる場合）には、ステップＳ５に進み、異ならない（同じ）場合には、ステップＳ２に戻る。
【００６９】
たとえば、ステップＳ４において、記憶部７に記憶されているランプ情報ｄが示すランプＬの状態が、第１ランプＬ１が点灯状態、第２ランプＬ２が消灯状態であり、光センサ部４から新たに取得した検知信号Ｓが示すランプＬの状態が、第１ランプＬ１が点灯状態、第２ランプＬ２が点灯状態であるならば、ステップＳ５に進む。
【００７０】
次に、ステップＳ５において、制御部８により、無線送信部６を介して、光センサ部４の検知信号Ｓ（ランプ情報ｄを含む信号）がゲートウェイ装置１０３に送信される。そして、ステップＳ６に進む。
【００７１】
次に、ステップＳ６において、制御部８により、検知信号Ｓに基づいて、記憶部７に変化後のランプ情報ｄが記憶（上書き）される。なお、ステップＳ６は、上記ステップＳ５と略同時に行われる。そして、ステップＳ２に戻る。
【００７２】
（検知信号を送信するためのゲートウェイ装置による制御処理）
次に、図４を参照して、検知信号Ｓを機器状態監視端末１０２に送信するためのゲートウェイ装置１０３による制御処理フローについて説明する。
【００７３】
まず、ステップＳ１１において、検知信号Ｓが機器状態監視装置１０１から受信される。そして、ステップＳ１２に進む。次に、ステップＳ１２において、受信した検知信号Ｓがインターネットを介して機器状態監視端末１０２に送信される。以上で、ゲートウェイ装置１０３による制御処理が完了する。
【００７４】
（ランプの状態を通知するための機器状態監視端末の制御部による制御処理）
次に、図４を参照して、ランプＬの状態を通知するための機器状態監視端末１０２の制御部１０２ｂによる制御処理フローについて説明する。
【００７５】
まず、ステップＳ２１において、制御部１０２ｂにより、検知信号Ｓがゲートウェイ装置１０３から受信される。そして、ステップＳ２２に進む。
【００７６】
次に、ステップＳ２２において、制御部１０２ｂにより、受信した検知信号Ｓに基づいて、医療機器Ｅに対して人（監視者など）による所定の対応が必要なランプＬの状態の変化があったか否かが判断される。対応が必要なランプＬの状態の変化があった場合には、ステップＳ２３に進み、対応が必要なランプＬの状態の変化がなかった場合には、ステップＳ２４に進む。たとえば、ステップＳ２２において、医療機器Ｅが異常状態にあることを示す第２ランプＬ２が消灯状態から点灯状態に変化したと判断された場合には、ステップＳ２３に進む。
【００７７】
次に、ステップＳ２３において、制御部１０２ｂにより、表示部１０２ｃに、文字を赤色にしたり、文字の背景色を赤色にするなど、人目に付きやすい態様により所定の表示がなされる。すなわち、人目に付きやすい態様により、ランプＬの状態の変化を示す新たなログが表示部１０２ｃに追加されるとともに、人目に付きやすい態様に、表示部１０２ｃのランプＬの状態表示が変更される。
【００７８】
なお、ステップＳ２３の表示部１０２ｃの表示に合わせて、制御部１０２ｂにより、発報部から警告音を発したり、警告ランプを点灯させるなどしてもよい。また、監視者は、ステップＳ２３の表示部１０２ｃの表示を確認した場合、機器保守員に連絡し、医療機器Ｅが正常な状態に復帰するための所定の対応を促すなどの対応を取る。監視者および機器保守員は、医療機器Ｅが置かれている病院の関係者であってもよいし、外部の管理会社の職員などであってもよい。
【００７９】
また、ステップＳ２４において、制御部１０２ｂにより、表示部１０２ｃに、通常の態様（たとえば、黒色の文字）により所定の表示がなされる。すなわち、通常の態様により、ランプＬの状態の変化を示す新たなログが追加される。この際、監視者（機器保守員）は、医療機器Ｅに対して特段の対応を取る必要はない。以上で、機器状態監視端末１０２の制御部１０２ｂによる制御処理が完了する。
【００８０】
（第１実施形態の効果）
第１実施形態では、以下のような効果を得ることができる。
【００８１】
第１実施形態では、上記のように、取付部２により装置を医療機器Ｅに取り付けることにより、ランプＬを有する既存の医療機器Ｅに、ランプＬの点灯または点滅を検知する光センサ部４、および、光センサ部４の検知信号Ｓを送信する無線送信部６の機能を、後付（後から付け足すこと）により付与することができる。すなわち、ランプＬを有する既存の医療機器Ｅに無線送信部６を持たせる改造を施した場合と同様の機能を有する構成を、医療機器Ｅの改造を行うことなく機器状態監視装置１０１により得ることができる。その結果、機器状態を示すために点灯または点滅するランプＬを有する医療機器Ｅを改造することなく、医療機器Ｅから離れた位置で医療機器Ｅ（ランプＬ）の状態を確認することができる。
【００８２】
また、第１実施形態では、上記のように、取付部２は、着脱可能に光センサ部４を医療機器Ｅに取り付けるように構成されている。これにより、取付部２によって、機器状態監視装置１０１を医療機器Ｅに後付により取り付けることができる。また、機器状態監視装置１０１を医療機器Ｅから容易に取り外すことができる。機器状態監視装置１０１の医療機器Ｅへの取り付け位置を容易に変更することができる。
【００８３】
また、第１実施形態では、上記のように、光センサ部４を保持するとともに、光センサ部４のランプＬに対する位置を調整可能な位置調整部３をさらに備える。これにより、位置調整部３によって、医療機器ＥのランプＬ位置に合わせて、ランプＬからの光を受光しやすい位置に光センサ部４の位置を調整（移動）して配置することができる。
【００８４】
また、第１実施形態では、上記のように、光センサ部４は、受光部４１ａと、先端４１０ｂがランプＬの近傍に配置され、ランプＬからの光を受光部４１ａに導く光ファイバ部４１ｂとを含んでいる。これにより、光ファイバ部４１ｂによりランプＬからの光を光センサ部４に効果的に導くことができるので、光センサ部４によりランプＬの光を検知する際に、光センサ部４の周囲の光の影響（外乱）を抑制することができる。
【００８５】
［第２実施形態］
図５を参照して、本発明の第２実施形態による機器状態監視装置２０１を含む機器状態監視システム２００について説明する。この第２実施形態では、第１光センサ部４１が、受光部４１ａと、光ファイバ部４１ｂとを含む上記第１実施形態とは異なり、第１光センサ部２４１が、受光部４１ａを含むとともに、光ファイバ部４１ｂを含まない例について説明する。なお、上記第１実施形態と同一の構成については、図中において同じ符号を付して図示し、その説明を省略する。また、第２光センサ部２４２は、上記第１実施形態と同様に、第１光センサ部２４１と同様の構成であるため、説明を省略する。
【００８６】
（機器状態監視システムの構成）
第２実施形態における機器状態監視システム２００は、図５に示すように、機器状態監視装置２０１を備えている。
【００８７】
機器状態監視装置２０１は、第１光センサ部２４１および第２光センサ部２４２を含む光センサ部２０４を備えている。
【００８８】
第１光センサ部２４１は、受光部４１ａを含んでいる。受光部４１ａは、第１実施形態の第１光センサ部４１よりも第１ランプＬ１の近傍に配置されている。これにより、第１光センサ部２４１は、受光部４１ａにより光を受光して、第１ランプＬ１の点灯を確実に検知することが可能となる。
【００８９】
（第２実施形態の効果）
第２実施形態では、以下のような効果を得ることができる。
【００９０】
第２実施形態では、上記のように、第１光センサ部２４１（第２光センサ部２４２）が、受光部４１ａを含むとともに、光ファイバ部４１ｂを含まないため、光ファイバ部４１ｂを含む場合よりも装置構成を簡素化することができる。この場合、周囲の環境光の影響が少ない場所（光ファイバ部４１ｂがなくとも第１光センサ部２４１により光を確実に検知できる場所）で、機器状態監視装置２０１を用いるのが好ましい。
【００９１】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９２】
たとえば、上記第１および第２実施形態では、機器状態監視装置を、ランプを備える医療機器に取り付けた例を示したが本発明はこれに限らない。本発明では、機器状態監視装置を、ランプを備える工作機械などの医療機器以外の機器に取り付けてもよい。
【００９３】
また、上記第１および第２実施形態では、光センサ部を、ランプの点灯を検知するように構成した例を示したが本発明はこれに限らない。本発明では、光センサ部を、ランプの点滅を検知するように構成してもよい。また、光センサ部を、ランプの点滅および点灯の両方を検知するように構成してもよい。
【００９４】
また、上記第１および第２実施形態では、光センサ部を、ランプの点灯状態と消灯状態とを区別可能に構成した例を示したが本発明はこれに限らない。本発明では、光色の変化により機器の状態が変化したことを示すようにランプが構成されている場合に、光センサ部は、ランプの光色の変化を区別可能に構成してもよい。たとえば、光センサ部は、赤色で異常状態を示し、青色で非異常状態を示すランプの光色の変化を区別可能に構成してもよい。
【００９５】
また、上記第１および第２実施形態では、取付部を両面テープにより構成した例を示したが本発明はこれに限らない。本発明では、取付部が取り付けられる機器が金属により構成されている場合には、取付部を磁石により構成してもよい。この他、取付部をクランプなどの両面テープおよび磁石以外の構成により構成してもよい。
【００９６】
また、上記第１および第２実施形態では、光センサ部を２個設けた例を示したが本発明はこれに限らない。本発明では、光センサ部を１個または３個以上設けてもよい。
【００９７】
また、上記第１および第２実施形態では、制御部を、所定時間間隔毎に光センサ部から検知信号を取得する制御を行うように構成した例を示したが本発明はこれに限らない。本発明では、制御部を、光センサ部から検知信号を常時取得する制御を行うように構成してもよい。
【００９８】
また、上記第１および第２実施形態では、制御部を、ランプ状態が変化したことを示す検知信号を受信した場合（記憶部に記憶したランプ情報のランプ状態と、検知信号のランプ状態とが異なる場合）に限り、送信部から検知信号を（ゲートウェイ装置を介して）機器状態監視端末に送信する制御を行うように構成した例を示したが本発明はこれに限らない。本発明では、制御部を、ランプ状態の変化に関わらず、光センサ部から取得した検知信号の全てを（ゲートウェイ装置を介して）機器状態監視端末に送信する制御を行うように構成してもよい。
【００９９】
また、上記第１および第２実施形態では、機器状態監視装置を、蓄電池から電力供給を受けるように構成した例を示したが本発明はこれに限らない。本発明では、機器状態監視装置を、商用電源などの蓄電池以外の構成から電力供給を受けるように構成してもよい。
【０１００】
また、上記第１および第２実施形態では、本発明の機器状態監視装置の送信部を、無線送信部とした例を示したが本発明はこれに限らない。本発明では、本発明の機器状態監視装置の送信部を、有線送信部としてもよい。
【０１０１】
また、上記第１および第２実施形態では、機器状態監視システムを、インターネットを介して機器状態監視装置からの検知信号を機器状態監視端末に送信するように構成した例を示したが本発明はこれに限らない。本発明では、機器状態監視システムを、インターネットを介すことなく、機器状態監視装置からの検知信号を機器状態監視端末に送信するように構成してもよい。
【０１０２】
また、上記第１および第２実施形態では、機器状態監視装置と機器状態監視端末とを互いに異なる建物内に設けた（機器状態監視装置を病院に設け、機器状態監視端末を外部の管理会社に設けた）例を示したが本発明はこれに限らない。本発明では、機器状態監視装置と機器状態監視端末とを同一の建物内に設けてもよい。
【０１０３】
また、上記第１および第２実施形態では、機器状態監視装置を、２個の筐体（第１筐体および第２筐体）を備えるように構成した例を示したが本発明はこれに限らない。本発明では、機器状態監視装置を、１個のみの筐体（第１筐体および第２筐体）を備えるように構成してもよい。
【０１０４】
また、上記第１および第２実施形態では、説明の便宜上、制御部の処理動作を処理フローに沿って順番に処理を行うフロー駆動型のフローチャートを用いて説明したが、本発明はこれに限らない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１０５】
２  取付部
３  位置調整部
４、２０４  光センサ部
６  無線送信部（送信部）
４１ａ  受光部
４１ｂ  光ファイバ部
１００、２００  機器状態監視システム
１０１、２０１  機器状態監視装置
１０２  機器状態監視端末
１０２ａ  受信部
１０２ｃ  表示部（通知部）
４１０ｂ  先端
Ｅ  医療機器（機器）
Ｌ  ランプ
Ｓ  検知信号
【図１】
2019219902.tif 000003
【図２】
2019219902.tif 000004
【図３】
2019219902.tif 000005
【図４】
2019219902.tif 000006
【図５】
2019219902.tif 000007